(57)【要約】【課題】組み立てやメンテナンス作業における煩雑な工程を簡略化でき、全体の作業効率を向上させることができ、コストを低減させることができるライトストリップ固定構造を提供する。【解決手段】本発明のライトストリップ固定構造は、溝部１３を有するハウジング１と、溝部１３内に位置する発光ユニット２と、溝部１３内に結合され、且つ発光ユニット２を覆うライトガイド部材３とを有する。ライトガイド部材３が溝部１３に結合して発光ユニット２を覆うことにより、メンテナンス要員は発光ユニット全体を取り出すことなく発光ユニットのメンテナンス、取替え作業を遂行することができる。【選択図】図１
2020136181.tif 000002
【特許請求の範囲】
【請求項１】
溝部を有するハウジングと、
前記溝部内に位置する発光ユニットと、
前記溝部内に結合され、且つ前記発光ユニットを覆うライトガイド部材と
を有することを特徴とするライトストリップ固定構造。
【請求項２】
前記ハウジングは基部及び二つの側片部を有し、前記二つの側片部はそれぞれ前記基部の二つの長手側の縁に連接し、前記基部及び前記二つの側片部が囲んで溝部を形成させることを特徴とする請求項１に記載のライトストリップ固定構造。
【請求項３】
前記基部及び前記二つの側片部が一体に形成されて相互に連接されることを特徴とする請求項２に記載のライトストリップ固定構造。
【請求項４】
前記ライトガイド部材は力作用部及び詰込部を有し、前記力作用部は前記二つの側片部の頂面に当接し、前記詰込部は前記二つの側片部の内表面に当接することを特徴とする請求項２に記載のライトストリップ固定構造。
【請求項５】
前記溝部は深さを有し、前記詰込部は高さを有し、前記高さは前記深さより低いことを特徴とする請求項４に記載のライトストリップ固定構造。
【請求項６】
前記ライトガイド部材は、前記詰込部内に位置する中空部を有することを特徴とする請求項４に記載のライトストリップ固定構造。
【請求項７】
前記詰込部の両側における表面にそれぞれ逆止構造を有し、前記逆止構造の各々は前記二つの側片部の内表面にそれぞれ当接することを特徴とする請求項４に記載のライトストリップ固定構造。
【請求項８】
前記ライトガイド部材はマット面を有するアクリル材料により製造されることを特徴とする請求項１に記載のライトストリップ固定構造。
【請求項９】
前記発光ユニットは複数の発光バーが相互に連接してなることを特徴とする請求項１〜８のいずれかに記載のライトストリップ固定構造。
【請求項１０】
各前記発光バーの両端がそれぞれ結合部を有し、各前記発光バーの結合部とそれに隣接する発光バーの結合部とが溶接により結合されることを特徴とする請求項９に記載のライトストリップ固定構造。
【発明の詳細な説明】
【技術分野】
【０００１】
本発明は、ライトストリップ固定構造に関し、特に、メンテナンスが便利なライトストリップ固定構造に関するものである。
【背景技術】
【０００２】
従来のライトストリップ固定構造９は、図７に示されるように、チューブ９１及び軟質ライトベルト９２を有する。チューブ９１はアーチ状に形成され得る光透過面９１１を有し、軟質ライトベルト９２はチューブ９１内の収容溝９１２に位置し、かつ光透過面９１１に位置合わせされる。このように、軟質ライトベルト９２の光線が光透過面９１１から発散することができる。このようなライトストリップ固定構造は特許文献１に開示されている。
【０００３】
しかしながら、このような従来のライトストリップ固定構造９では、軟質ライトベルト９２がチューブ９１の一端から収容溝９１２に挿入されたものであるため、軟質ライトベルト９２の一部が破損して、それをメンテナンスしようとする場合に、軟質ライトベルト９２全体を収容溝９１２から引っ張り出してから行う必要があり、またメンテナンス後に軟質ライトベルト９２全体を収容溝９１２に挿入しなければならないので、全体の組み立て工程及びメンテナンスに手間がかかって不便であり、組み立て及びメンテナンスの利便性が悪いだけでなく、作業コストも高くなり、ひいては全体の作業効率に悪影響をもたらしてしまうものであった。
以上に鑑みて、従来のライトストリップ固定構造を改善する必要があった。
【先行技術文献】
【特許文献】
【０００４】
【特許文献１】中国公告第２０５９７９３１１号
【発明の概要】
【発明が解決しようとする課題】
【０００５】
本発明は、組み立てやメンテナンスにおける煩雑な工程を簡略化でき、全体の作業効率を向上させることができるライトストリップ固定構造を提供することを目的とする。
【０００６】
本発明はさらに、コストを低減させることができるライトストリップ固定構造を提供することを目的とする。
【０００７】
また、本発明は、結合安定性を向上させることができるライトストリップ固定構造を提供することを目的とする。
【０００８】
本発明はさらに、組み立ての利便性を向上させることができるライトストリップ固定構造を提供することを目的とする。
【課題を解決するための手段】
【０００９】
本発明の明細書全文にわたって用いられる方向を示す用語、例えば、「前」、「後」、「左」、「右」、「上（頂）」、「下（底）」、「内」、「外」、「側」などの用語は、主に、添付図面上における方向を示すものであるが、これらの方向は本発明に対する説明と理解を補助するためのものであり、本発明はこれらの方向に限定されるものではない。
【００１０】
また、本発明の明細書全文にわたって用いられる「結合」、「組合」或いは「組み立て」等の近似語は、主に連結した後、破壊しなくても分離することができるもの、或いは、連結した後、分離することが不可能なもの等の様態を含み、当業者が連接しようとする部位の材質、または組み立ての様態によって適宜に選択できるものである。
【００１１】
さらに、本発明の明細書全文にわたって用いられる数を表わす用語、例えば、「一つ」、「一個」などの用語は、便宜上使われるものであり、且つ本発明の範囲について通常の意味を与えるものであり、本発明では、一つ或いは少なくとも一つとして解釈すべきであり、また、別の数を指すと明言される場合を除いて、一つの概念に複数の場合を含むこともあり得る。
【００１２】
本発明に係るライトストリップ固定構造は、溝部を有するハウジングと、前記溝部内に位置する発光ユニットと、前記溝部内に結合され、且つ前記発光ユニットを覆うライトガイド部材とを有する。
【００１３】
これにより、本発明のライトストリップ固定構造は、ライトガイド部材が溝部に結合して発光ユニットを覆うことにより、メンテナンス要員は発光ユニット全体を取り出すことなく発光ユニットのメンテナンス、取替え作業を遂行することができる。これにより、ライトストリップ固定構造の組み立てやメンテナンスにおける煩雑な工程を簡略化し、人的作業のコストを効果的に低減し、ひいては組み立てやメンテナンスの利便性及び全体の作業効率を向上させることができる。
【００１４】
また、前記ハウジングは基部及び二つの側片部を有し、前記二つの側片部はそれぞれ前記基部の二つの長手側の縁に連接し、前記基部及び前記二つの側片部が囲み込んで溝部を形成させることもできる。これにより、構造が簡単で組み立てが便利であり、組み立ての利便性を向上させる効果を有する。
【００１５】
また、前記基部及び前記二つの側片部を一体に成形して相互に連接させることもできる。これにより、ハウジングの構造強度を向上させる効果を有する。
【００１６】
また、前記ライトガイド部材は力作用部及び詰込部を有し、前記力作用部は前記二つの側片部の頂面に当接し、前記詰込部は前記二つの側片部の内表面に当接するように構成することもできる。これにより、構造が簡単で製造が便利であり、製造コストを低減する効果を有する。
【００１７】
また、前記溝部は深さを有し、前記詰込部は高さを有し、前記高さは前記深さより低くなるように形成することもできる。これにより、詰込部が発光ユニットに接触することを防ぎ、発光ユニットを守る効果を有する。
【００１８】
また、前記ライトガイド部材は、前記詰込部内に位置する中空部を有することもできる。これにより、中空部が詰込部に弾性を与えることができ、詰込部を溝部内に容易に詰み込むことができ、組み立ての利便性を向上させる効果を有する。
【００１９】
また、前記詰込部の両側における表面にそれぞれ逆止構造を有し、各前記逆止構造は前記二つの側片部の内表面に当接することもできる。これにより、ライトガイド部材が溝部に安定に位置しかつ溝部を閉じ、ライトガイド部材が二つの側片部の内表面に対して摺動することを防ぐ効果を有する。
【００２０】
また、前記ライトガイド部材はマット面を有するアクリル材料により製造されることもできる。これにより、材料の取得が容易で、製造コストを低減する効果を有する。
【００２１】
また、前記発光ユニットは複数の発光バーが相互に連接してなるように構成することもできる。これにより、複数の発光バーのうち故障した一つの発光バーのみを取り替えれば良く、コストを節約する効果を有する。
【００２２】
また、各前記発光バーの両端がそれぞれ結合部を有し、各前記発光バーの結合部とそれに隣接する発光バーの結合部とが溶接で連接することもできる。これにより、各発光バーが安定に相互に結合することができ、メンテナンスや取り替えが容易かつ結合安定性を向上させる効果を有する。
【図面の簡単な説明】
【００２３】
【図１】本発明による好ましい実施例を示す分解斜視図。
【図２】本発明による好ましい実施例を示す分解断面図。
【図３】本発明による好ましい実施例を示す断面図。
【図４】本発明の好ましい実施例をゲーム機に応用した場合の斜視図。
【図５】本発明の好ましい実施例のメンテナンス状況を示す図。
【図６】本発明による好ましい実施例に係る発光ユニットの平面図。
【図７】従来のライトストリップ固定構造の斜視図。
【発明を実施するための形態】
【００２４】
本発明の実施例について、以下、図面を参照して説明する。
【００２５】
図１に示されるように、本発明の好ましい実施例に係るライトストリップ固定構造は、ハウジング１、発光ユニット２及びライトガイド部材３を含む。発光ユニット２はハウジング１内に位置し、ライトガイド部材３はハウジング１に結合される。
【００２６】
図２、３に示されるように、ハウジング１は基部１１及び二つの側片部１２、１２を有する。二つの側片部１２、１２はそれぞれ基部１１の二つの長手側の縁に連接し、かつ基部１１及び二つの側片部１２で囲み込むことで溝部１３を形成させる。ハウジング１の断面は概ねＵ字を有する長形に形成させることが好ましい。溝部１３は深さＤを有し、深さＤの幅は需要に応じて形成することができ、本発明では特に限定されない。さらに、基部１１及び二つの側片部１２、１２は接着、溶接或いはホットボンドなどの固着手段で相互に接合することができる。本実施例において、基部１１及び二つの側片部１２、１２を一体に成形させて相互に連接させることでハウジング１の構造強度を向上できる。
【００２７】
発光ユニット２は溝部１３内に位置し、相互に連接する複数の発光バー２ａを有する。各発光バー２ａの連接方法は特に限定されるものではないが、本実施例においては、各発光バー２ａの両端がそれぞれ結合部２１を有することができ、各発光バー２ａの結合部２１とそれに隣接する発光バー２ａの結合部２１とは、溶接で連接される。これにより、複数の発光バー２ａが相互に連接して発光ユニット２となる。特筆すべきことは、各発光バー２ａ自体が同色の光或いは異なる色の光を発することができ、これにより発光ユニット２は異なる色の組み合わせを有することもできる。
【００２８】
図３に示されるように、ライトガイド部材３は溝部１３に結合される。ライトガイド部材３はマット面を有するアクリル材料により製造され、ライトガイド部材３は発光ユニット２に位置合わせされて発光ユニット２を覆うように構成される。これにより、発光ユニット２から発生する光線は間接的にライトガイド部材３によって照射され、グロー効果や異なる色のデコレーション効果を生み出すことができ、かつ発光ユニット２から発生する光線が直射して眩しくなりすぎることを避けることもできる。さらに、需要に応じて異なる色を有するライトガイド部材３を組み合わせて、異なる色を発生する光源とすることもできる。
【００２９】
より詳しく述べると、ライトガイド部材３は力作用部３１及び詰込部３２を有する。詰込部３２は力作用部３１と一体に連接することが好ましい。力作用部３１は二つの側片部１２の頂面に当接し、詰込部３２は溝部１３内に位置し、かつ二つの側片部１２の内表面に当接する。また、詰込部３２の両側における表面にそれぞれ逆止構造３２１を有することができる。各逆止構造３２１は傾斜した歯を有する態様に形成されても良く、二つの側片部１２の内表面に当接することで、ライトガイド部材３を溝部１３に安定に位置させかつ溝部１３を閉じ、ライトガイド部材３が二つの側片部１２の内表面に対して摺動することを防ぐことができる。
【００３０】
詰込部３２は高さＨを有する。高さＨは溝部１３の深さＤより低いことが好ましく、これにより、詰込部３２が発光ユニット２に接触することを防ぐ。さらに、ライトガイド部材３は詰込部３２の内部に位置する中空部３３を有し、中空部３３が詰込部３２に弾性を与えることができ、これにより、詰込部３２を部１３内に容易に詰め込むことで組み立てが完成する。
【００３１】
本発明のライトストリップ固定構造は、図４に示されるように、上記構造を有することによりゲーム機Ｍに応用することができる。この実施例において、ハウジング１はゲーム機Ｍの外壁に設置され、これにより、ハウジング１内の発光ユニット２から発生する光線は間接的にライトガイド部材３によって放射され、グロー効果や異なる色のデコレーション効果を生み出し、ゲーム機Ｍ全体の外観の質を改良することができる。
【００３２】
発光ユニット２のうちの一つが故障し、それを修理または取り替えようとする場合、図５、６に示されるように、メンテナンス要員はまずライトガイド部材３を取り出す。このライトガイド部材３の取り出しは、例えば、ライトガイド部材３全体を取り出しても良く、或いはライトガイド部材３の一部のみを取り出しても良いが、本発明ではこれらに限定されず、本実施例に係る図面にも限定されない。本実施例の説明では、ライトガイド部材３の一部を取り出す態様で説明され、ライトガイド部材３とハウジング１との間にメンテナンススペースＰが設けられる。
【００３３】
この場合、メンテナンス要員は、結合部２１に沿って切断して故障した発光バー２ａを取り出し、さらに新品の発光バー２ａを隣接する発光バー２ａに溶接することで、故障した発光バー２ａを取り替え、続いてライトガイド部材３を溝部１３に結合することで作業を完了できる。かくして、メンテナンス要員は、発光ユニット２全体を取り出すことなくメンテナンス、取替え作業を遂行できるので、ライトストリップ固定構造の組み立てやメンテナンスにおける煩雑な工程を簡略化でき、人力作業のコストを低減し、ひいては組み立てやメンテナンスの利便性及び全体の作業効率を向上させることができる。
【００３４】
上述のように、本発明のライトストリップ固定構造は、ライトガイド部材が溝部に結合して発光ユニットを覆うことにより、メンテナンス要員は、発光ユニット全体を取り出すことなく発光ユニットのメンテナンス、取替え作業を完了することができる。これにより、ライトストリップ固定構造の組み立てやメンテナンスにおける煩雑な工程を簡略化し、人力作業のコストを効果的に低減し、ひいては組み立てやメンテナンスの利便性及び全体の作業効率を向上させることができる。
【００３５】
本発明は、その精神と必須の特徴事項から逸脱することなく他のやり方で実施することができる。従って、本明細書で説明した好ましい実施形態は、例示的なものであり、本発明の範囲を限定するものではない。
【符号の説明】
【００３６】
１        ハウジング
１１      基部
１２      側片部
１３      溝部
２        発光ユニット
２ａ      発光バー
２１      結合部
３        ライトガイド部材
３１      力作用部
３２      詰込部
３２１    逆止構造
３３      中空部
Ｄ        深さ
Ｈ        高さ
Ｍ        ゲーム機
Ｐ        メンテナンススペース
９        ライトストリップ固定構造
９１      チューブ
９１１    光透過面
９１２    収容溝
９２      軟質ライトベルト
【図１】
2020136181.tif 000003
【図２】
2020136181.tif 000004
【図３】
2020136181.tif 000005
【図４】
2020136181.tif 000006
【図５】
2020136181.tif 000007
【図６】
2020136181.tif 000008
【図７】
2020136181.tif 000009